(57)【要約】【課題】爪先端縁および屈曲状爪縁端部を安全かつ容易に切除できる、爪切除具の提供。【解決手段】側面形状が略板状矩形体に形成されている柄部１０の先端部には、上下一対で成る挿入脚部１１ａと、案内脚部１２とが、離隔して二股状に凸設され、また、該二股を形成する該挿入脚部１１ａと該案内脚部１２とが対向して成したスリットには、爪の先端縁を差し込む爪入隙１３を形成し、また、該二股の股部には、該爪入隙１３に差し込まれた爪を切除できる方向に一体で、或いは別部材で刃付け加工された刃体１４が配設されている。【選択図】図１
2016016311.tif 000002
【特許請求の範囲】
【請求項１】
金属またはセラミックスまたは樹脂またはエラストマーから選択された材料によって成形された略板状矩形体で成る柄部の先端部には、上下一対で成る挿入脚部と案内脚部とが離隔して二股状に凸設され、
また、該二股を形成する該挿入脚部と該案内脚部とが対向して成したスリットには、爪の先端縁を差し込む爪入隙を形成し、
また、該二股の股部には、該爪入隙に差し込まれた爪を切除できる方向に一体で、或いは別部材で成形された刃体とを備えて成している、ことを特徴とする爪切除具。
【請求項２】
請求項１記載の爪切除具において、
該挿入脚部の先端部が、湾曲状に形成されている、ことを特徴とする爪切除具。
【発明の詳細な説明】
【技術分野】
【０００１】本発明は、人の爪の爪先端縁および屈曲状を成す側爪縁端部を安全かつ容易に切除するための爪切除具に関するものである。
【背景技術】
【０００２】従来の変形爪を切除できる爪切りの発明においては、陥入した爪縁部を切除する際、抜き身の刃先を爪郭へ挿入した後、上下から押圧して該爪縁部を切除する爪切りが提案されている。【０００３】例えば、先端に下刃および上刃を対向状態に備えた２本のアームとの基端を、常時両刃が開口状態に固定し、操作レバーを操作する事によって、下刃と上刃の間に入れた爪を切るようにした爪切りにおいて、前記下刃元部の両側に巻爪の場合でも、該下刃の端部を、指と爪の間に挿入して、爪の両端を切る事の出来る、切り欠き部を形成した爪切りが提案されている。（特許文献１）【０００４】また、ニッパの有する特徴を備えて、切断部は、切断刃の背面が切断刃に向かって窪んだ形状に形成され、かつ側方面が先端部では切断部を除いて全面的に切除されて先端側方面が先細状のある形状とされるので、陥入部の内部にまで挿入でき、巻爪を切除することができるニッパ型巻き爪用爪切り、も提案されている。（特許文献２）【０００５】
【先行技術文献】
【特許文献】
【０００６】
【特許文献１】特開平１１−２３５２２６号公報
【特許文献２】実用新案登録第３１６４０８９号公報
【発明の概要】
【発明が解決しようとする課題】
【０００７】しかしながら、前述に記載された爪切りには以下のような問題がある。
前記文献１に掲げた爪切りでは、下刃の両端を細く尖らせたことで、爪郭に埋没した変形爪と爪郭との間に挿入して、爪縁を切ることができるとあるが、該両端が細く尖がった下刃を爪郭に埋没した爪と指との境である爪溝部へ挿入するのは危険であり、また、尖った刃先が、目視が利かない爪裏面側の爪郭に常に接触した儘での施術になるため、爪郭軟部組織を切ったり、突き刺したりしてしまう危険があるので不向きである。【０００８】また、爪縁部が湾曲変形して爪郭の内部まで陥入した変形爪を巻き爪といわれるが、前記文献２に掲げた、該巻き爪用切除用に発案されたニッパ型巻き爪用爪切りにおいても、前述文献１同様、爪郭へ陥入した爪縁部を切除するため先細状に尖らせた刃体の先端を、少なくとも一度は爪溝まで埋没させて施術する必要があり、その施術者の状態では刃体の尖った先端部が爪郭軟部組織へ触れているかの確認が容易ではないので、そのため爪郭軟部組織を傷つける危険な作業であり、陥入した爪縁端部の切除には安全性に問題がある。【０００９】陥入した巻き爪を発症している患部は腫脹を発症しているのは常であり、該患部は過敏な状態であるので、刃先の突端が当るだけでも激しい痛みが伴うなど、大変危険である。さらに、刃先が爪郭軟部組織へ刺入していることを確認できない状態で施術を行うと該軟部組織まで切除してしまう危険も伴うので、上記のいずれの爪切りにおいても、各々の刃先の先端形状は、爪郭に埋没した巻き爪の爪縁を切除するには危険であり、不向きである。【００１０】本発明の目的は、これらの課題を解決し、且つ、爪先端縁および屈曲状爪縁端部を安全かつ容易に切除できる、爪切除具を提供することにある。
【課題を解決するための手段】
【００１１】以上の課題を解決するための請求項１記載の爪切除具は、金属またはセラミックスまたは樹脂またはエラストマーから選択された材料によって成形された板状矩形体で成る柄部の先端部には、上下一対で成る挿入脚部と案内脚部とが離隔して二股状に凸設され、また、該二股を形成する該挿入脚部と該案内脚部とが対向して成したスリットには、爪先端縁を差し込む爪入隙を形成し、該二股の股部には、該爪入隙に差し込まれた爪を切除できる方向に一体で或いは別部材で成形された刃体とを備えて、構成されているものである。【００１２】ここで、二股状を成す上下脚部の長さの差は、刃体の刃先が露出しない程度であれば、必ずしも同じとは限らず、挿入脚部が案内脚部より長くても、また短くてもよい。さらに、刃体を除く柄部および二股状を形成する夫々脚部（以下、「切除具本体」という）の材料は、弾性材や可塑性材を問わず、また金属であればステンレス、チタン合金、アルミ合金、貴金属合金、鋼系から、また、セラミックス系や樹脂類およびエラストマー、その他からは木などからも、特に制限はなく適宜選択することができ、例えば、金属であればステンレスや鋼、鉄、またセラミックスであればアルミナや窒化珪素、ジルコニア、単結晶サファイア、また樹脂であればシリコーン樹脂、フッ素樹脂、可塑性樹脂、エンジニアプラスチック、木であればアスペンや白樺、杉、竹、ホオノキ、桜、樫、ヒノキ、ウォールナットなどが挙げられるが、これらの中でもステンレスや真鍮、ポリカーボネート、ＰＰ、ヒノキ、ウォールナットなどが好ましい。【００１３】なお、刃体は金属およびセラミックスの材料から特に制限されることはなく適宜に選択され加工されてもよく、例えば、金属ではステンレスや鋼、鉄、また、セラミックスではファインセラミックス系のアルミナや窒化珪素、ジルコニアなどが挙げられるが、これらの中でもステンレスや、炭素工具鋼、モリブデンバナジウム鋼、ジルコニアなどが好ましい。【００１４】また、刃付けの加工形状は垂直型や斜傾型や内湾曲型や外湾曲型や円形や楕円形や略半円形などから、刃先形状は片刃や両刃などから、いずれも適宜自由に選択されてよい。【００１５】請求項２記載の発明は、請求項１に記載の爪切除具において、該挿入脚部の先端部が、湾曲状に形成されていることを特徴とする。【００１６】なお、該挿入脚部の先端部の湾曲状においては、変形爪の湾曲形状または陥入深度から鑑みられた湾曲径および曲がり方向であってよく、また該挿入脚部先端の該湾曲形状は適宜調整することも可能であるが、例えば、変形症状が軽く爪郭への陥入深度が浅い爪縁端部の場合には、該挿入脚部の先端部の湾曲径は大きく爪甲側上方向へ湾曲に調整されたり、また変形症状が進行し該陥入深度が深い場合には、湾曲径を小さく爪溝側下方向へ湾曲されるように調整されたりするのが好ましい。なお、該挿入脚部の形状は、強度を強化された材料を用いて固定形状に成しても、また、塑性能を有する材料を用いて湾曲状および湾曲方向を変更自在に成してもよい。【００１７】本発明の上記の構成によれば、爪縁端部裏側と爪郭との隙へ挿入脚部を挿通させることで、爪側と指側を分離させているので、刃体の刃先方は二股状の股部に内設して、且つ、該挿入脚部の上側であって、該挿入脚部の先端より内側に設けられていることで、当然、刃先方と指肉との接触が起こらないため、安全に爪縁端部の切除が行える。
【発明を実施するための形態】
【００１８】以下、本発明を実施するための形態について適宜図面を参照しながら説明するが、本実施形態は以下の内容に限定されるものではなく、本発明の要旨を損なわない範囲で任意に変更して実施可能である。
【実施形態】
【実施例１】
【００１９】（図１〜図３参照）
第１実施形態の図１（ａ）〜（ｂ）に示された爪切除具５１Ａは、図２で示された爪縁端部２０に形成する略屈曲状を切除するものであって、柄部１０の先端部には、上下一対で成る、挿入脚部１１ａと、案内脚部１２とが離隔して二股状に凸設され、該二股を形成する該挿入脚部１１ａと該案内脚部１２とが対向して成したスリットには、爪の先端縁を差し込む爪入隙１３を形成し、また、該二股の股部には、該爪入隙１３に差し込まれた爪を切除できる方向に一体で、或いは別部材で刃付け加工された刃体１４を配設されて成る、該爪切除具５１Ａの全体の側面形状は略板状矩形体に形成されている。【００２０】爪切除具５１Ａの長手方向寸法は略４０ｍｍ、板厚寸法は略０．８ｍｍ、爪入隙１３の開口高（以下、「挿入脚部１１ａと案内脚部１２とが成すスリット間隔」をいう）は略２ｍｍ、挿入脚部１１ａは股部から先端方向長さ略７ｍｍ、高さ略１ｍｍ、厚さ略０．８ｍｍ、案内脚部１２は股部から先端方向長さ７ｍｍ、高さ２ｍｍ、厚さ０．８ｍｍ、刃体１４の露出寸法は股部から刃先方向長さ２ｍｍ、高さ２ｍｍ、厚さ０．０８ｍｍで形成されている。なお、各寸法は爪縁端部２０の屈曲形状や爪厚により適宜変更されてもよく、爪切除具５１Ａの板厚寸法は材により適宜寸法でよい。【００２１】爪切除具５１Ａは板状のステンレスを、完成した爪切除具５１Ａの各々と同形状に形成されている雄型及び雌型を用いたプレス機で一体成形されたが、材料については、例えば、金属またはセラミックスまたは樹脂またはエラストマー、木から選択された材料の使用が可能である。【００２２】また、該爪切除具５１Ａは一体成形されているため、刃体１４部の刃付け加工工程は別途設ける必要があり、該刃付け加工においては、図１（ａ）の例で示されたように該刃付けの角度を挿入脚部１１ａに対し略９０度に成るよう研磨機で研ぎだしたが、爪質により該刃付けの斜傾角度は２０度〜９０度から適宜選択され刃付け加工をしてもよい。【００２３】図３（ａ）〜（ｃ）に示されているとおり、爪先端側から爪入隙１３へ爪先端部を挿入し、切断される爪縁端部２０へ向かって挿入脚部１１ａを挿通することで、安全に爪縁端部２０が切断できる爪切除具５１Ａの操作の様子が示されている。【００２４】爪切除具５１Ａの使用方法は、先ず同図（ａ−１）〜（ａ−２）に示されているとおり、爪入隙１３へ爪縁部近傍の爪先端を挿着することで、爪入隙１３の下部に付設されている挿入脚部１１ａは該爪先端の爪内側に挿入される。また、爪入隙１３の上部に付設されている案内脚部１２は爪甲表面側に配置されて刃先方向を示している。【００２５】なお施術中においては、爪縁端部２０の爪内側であって、且つ、爪郭２１上方表面側との隙を挿通されるのは、挿入脚部１１ａのみとされるので、当然に、爪入隙１３に内設している刃体１４の刃先前方には、切断される該爪縁端部２０のみで、爪郭等の指肉は見当たらない。【００２６】爪切除具５１Ａによって爪縁端部２０が切除された態様を示されている同図（ｂ）によれば、前記同図（ａ）に示されたように爪入隙１３へ爪先端部２０を挿着された後、柄部１０を握持し、刃体１４を切断する方向へ押圧することで、挿入脚部１１ａが爪郭外上側を摺動しながら挿通され、且つ、爪入隙１３に内設された刃体１４によって、爪縁端部２０を切断した状態を示す。
同図（ｃ）は、爪縁端部２０が安全に切除された態様が示されている。
【実施例２】
【００２７】（図４参照）
第２実施形態の爪切除具５１Ｂは、爪切除具５１Ａのもう一つの例であって、図４（ａ）〜（ｃ）に示されたように、別部材で成形された刃体１４を用い、且つ、刃体１４の着脱を自由にできるよう構成されている。例えば、切除具本体に形成されている股部に、刃体１４が爪切除具５１Ｂの厚さ方向の略中央で嵌着できるよう凹加工された刃体保持凹部１５内に、該刃体１４を嵌合させたり、嵌着させたり、はめ込み固定できるよう設けられて成している。【００２８】刃体１４の装着方法は、同図（ｃ）で示すように、刃体１４を刃体保持凹部１５内へ嵌入させて刃体１４を厚み方向略中央に嵌着できるとしたものである。なお、刃体の固定には接着剤や粘着剤を用いてもよく、また、刃体保持凹部１５に刃体１４が収納された状態で且つ刃体保持凹部１５の開口部側の内周の少なくとも一辺が内接されて塞げる様態で嵌着できる形状に成した蓋を用いて刃体１４を固定してもよい。
【実施例３】
【００２９】（図５参照）
第３実施形態の爪切除具５１Ｃは爪切除具５１Ａのもう一つの例であって、図５（ａ）〜（ｄ）に示すように、爪切除具本体と刃体とを別の材料で加工を可能としたことで、部位による適宜な材が選択できたり、また、材料コストによる性能の差別化が容易となったりしたものである。
図５の爪切除具５１Ｃは、同図（ａ）のＡ−Ｂで示すように、厚み方向で２分割された形状で、しかも、夫々刃体１４を収納保持するための刃体保持凹部１５を備えて成る、左側体１８と右側体１９とが別型によって射出成形された該切除具本体と、別部材により形成された刃体１４とで、組み立てられ、接着剤１７で固着して得るように成している。【００３０】なお、前記の以外の加工法において、コスト削減や各部材の密着性および信頼性に優れているインサート射出成形を用いて加工されてもよい。
【実施例４】
【００３１】（図６〜図７参照）
本実施例の爪切除具５１Ｄは爪切除具５１Ａのもう一つの例であって、図６（ａ）〜（ｂ）に示されたように、該挿入脚部１１ｂの先端が上向きに湾曲状を成しているものである。爪縁端部２０の変形が比較的少ない場合の切除に適した形状を得ている。【００３２】該挿入脚部１１ｂの形状は、厚さ略０．８ｍｍ、高さ１ｍｍ、柄部１０の股部から該挿入脚部１１ｂ先端方向へ略６ｍｍ直線状で成り、さらに延長される該挿入脚部１１ｂ先端方向（同図（ａ）Ｃ−Ｄ）の略４ｍｍ間の爪接触面側において、上方へ略半径５ｍｍで、且つ内側へ上方湾曲高さ略４ｍｍに至るまで湾曲し、その先端部は角丸成形で得るように成している。なお、該挿入脚部１１ｂの先端上方湾曲形状の湾曲半径や湾曲高さは変形爪の形状を鑑みて適宜に変更できる。また案内脚部１２は、厚さ略０．８ｍｍ、高さ３ｍｍ、股部から直線状に５ｍｍの略矩形板状で且つ案内脚部１２先端角丸成形で成している。刃体１４はステンレスを用い、同図（ａ）の例で示されたように、該刃付けの斜傾角度は略９０度に成すよう刃付け加工され、刃体１４の露出長さは股部から刃先まで略２ｍｍ露出するよう設けられてもよい。なお、爪質により該刃付けの斜傾角度は２０度〜９０度から適宜選択され刃付け加工をされてもよい。【００３３】図７（ａ）〜（ｂ）は、爪先端側から爪入隙１３へ爪先端部を挿入し、切断される爪縁端部２０へ向かって挿入脚部１１ｂを挿通することで、安全に爪縁端部２０を切断できる爪切除具５１Ｄの操作の様子を示している。【００３４】同図（ａ−１）〜（ａ−２）に示されているとおり、挿入脚部１１ｂに付設する先端湾曲部の、該形状を利用して、爪先端側から切除される爪縁端部２０の爪郭２１陥入部内側へ挿入し、さらに爪郭２１の外方上側にまで安全に挿通される。当然に、爪先端は爪入隙１３に挿入され、また、案内脚部１２は爪甲表面側に配置されて刃先方向を示している。【００３５】同図（ｂ−１）〜（ｂ−２）は、挿入脚部１１ｂを爪縁端部２０へ挿着後に、柄部１０を押圧させることで、挿入脚部１１ｂが爪郭２１上方向へ摺動しながら、股部に内設された刃体１４によって爪縁端部２０が切除された態様を示している。
【実施例５】
【００３６】（図８参照）
第５実施形態の爪切除具５１Ｅは爪切除具５１Ｄのもう一つの例であって、図８（ａ）〜（ｂ）に示すように、該挿入脚部１１ｂの先端が下向きに湾曲状を成しているものである。爪縁端部２０の湾曲変形が比較的強い場合に適した形状を得ている。【００３７】該挿入脚部１１ｂの形状は、厚さ略０．８ｍｍ、高さ１ｍｍ、柄部１０の股部から該挿入脚部１１ｂ先端方向へ略５ｍｍ直線の略矩形板状で、さらに延長される該挿入脚部１１ｂ先端方向先端方向（同図（ａ）Ｅ−Ｆ）の略３ｍｍ間の爪接触面側において、下方へ略半径６ｍｍで、その先端部は角丸成形で得るように成している。なお、該挿入脚部１１ｂの先端下方湾曲の湾曲半径は変形爪の形状を鑑みて適宜に変更できる。また案内脚部１２は、厚さ略０．８ｍｍ、高さ３ｍｍ、股部から直線状に６ｍｍの矩形板状で、且つ案内脚部１２先端角丸成形で成している。刃体１４はステンレスを用い、同図（ａ）の例で示されたように、該刃付けの斜傾角度は略９０度に成すよう刃付け加工され、また、刃体１４の露出長さは股部から刃先まで略２ｍｍ露出するよう設けられてもよい。なお、爪質により該刃付けの斜傾角度は２０度〜９０度から適宜選択され刃付け加工をされてもよい。
【発明の効果】
【００３８】本発明の効果として、以下に示すような効果を奏する。
【００３９】以上のように本発明によれば、従来のものに比べて、爪郭２１に埋没した屈曲状の爪縁端部２０の切除を安全に行うことができる。
【産業上の利用可能性】
【００４０】本発明は、医療用器具および美容器具の産業界において利用できる。
【図面の簡単な説明】
【００４１】
【図１】この発明の爪切除具の一例を示す（ａ）側面図、（ｂ）正面図である。
【図２】爪縁端部の屈曲状を表す第一趾爪の正面図である。
【図３】この発明爪切除具を用いて爪縁端部を施術する態様を示す（ａ−１）は爪先端縁に装着した平面図、（ａ−２）は正面図である。（ｂ）は爪縁端部を切除した態様の平面図、（ｃ）は向かって右側爪縁端部が切除された第一趾爪の平面図である。
【図４】別部材で加工された刃体を股部近傍に収納可能とした爪切除具に関する、別の態様を示す（ａ）斜視図、（ｂ）正面図、（ｃ）刃体の収納の態様を表す斜視図、である。
【図５】樹脂加工された爪切除具の本体と別部材で加工された刃体の製造工程を説明する（ａ）組み立て後の切除具の態様を示す斜視図、（ｂ）樹脂加工された左側体を示す側面図、（ｃ）該左側体と別部材で加工された刃体との係合を表す平面図、（ｄ）樹脂加工された右側体を示す側面図、（ｅ）該右側体を示す平面図である。
【図６】挿入脚部が上方へ湾曲変形した爪切除具の別の態様を示す（ａ）側面図、（ｂ）正面図である。
【図７】爪切除具に付設する上方へ湾曲した挿入部脚部を用いた施術の態様を示す（ａ−１）は爪先端縁に装着した平面図、（ａ−２）は正面図である。（ｂ−１）は爪縁端部を切除した様態の平面図、（ｂ−２）は正面図である。
【図８】挿入脚部が下方へ湾曲変形した爪切除具の別の態様を示す（ａ）側面図、（ｂ）正面図である。
【符号の説明】
【００４２】５１Ａ、５１Ｂ、５１Ｃ、５１Ｄ、５１Ｅ…爪切除具
１０柄部
１１ａ挿入脚部
１１ｂ挿入脚部
１２案内脚部
１３爪入隙
１４刃体
１５刃体保持凹部
２０爪縁端部
【図１】
2016016311.tif 000003
【図２】
2016016311.tif 000004
【図３】
2016016311.tif 000005
【図４】
2016016311.tif 000006
【図５】
2016016311.tif 000007
【図６】
2016016311.tif 000008
【図７】
2016016311.tif 000009
【図８】
2016016311.tif 000010